(57)【特許請求の範囲】
【請求項１】
タブレット端末と、レシート印字用のプリンタと、支払者に支払金額を提示するための金額表示器とをインターフェースボードを介して接続することにより、キャッシュレジスターとして機能する情報処理装置であって、
前記タブレット端末は、
ユーザの操作に基づいて、精算対象となる商品ごとの金額の入力を受け付ける商品金額入力受付手段と、
前記商品金額入力受付手段によって受け付けた前記商品ごとの金額を合計して、合計金額を算出する合計金額算出手段と、
前記合計金額算出手段によって算出された前記合計金額を、前記支払金額として前記インターフェースボードを介して接続された前記金額表示器に表示する合計金額表示手段と、
前記金額入力受付手段で受け付けた商品ごとの金額の明細情報と、前記合計金額算出手段で算出した前記合計金額の情報とを含む精算情報が印字されたレシートを前記インターフェースボードを介して接続された前記プリンタから出力するレシート出力手段とを備え、
前記プリンタ、前記金額表示器、前記インターフェースボードを筐体に格納し、前記筐体と前記タブレット端末とを結合して、一台のキャッシュレジスターとして一体化したことを特徴とする情報処理装置。
【請求項２】
請求項１に記載の情報処理装置において、
前記インターフェースボードは、前記タブレット端末、前記プリンタ、および前記金額表示器へ電力を供給する電力供給手段を備えることを特徴とする情報処理装置。
【請求項３】
請求項１または２に記載の情報処理装置において、
現金収納用のキャッシュドロワを接続するための接続手段と、
ユーザの操作に基づいて、前記接続手段を介して接続された前記キャッシュドロワをオープンするキャッシュドロワ制御手段とをさらに備えることを特徴とする情報処理装置。
【請求項４】
請求項１〜３のいずれか一項に記載の情報処理装置において、
前記タブレット端末は、通信回線を介して接続された外部装置へ前記精算情報を送信する精算情報送信手段をさらに備えることを特徴とする情報処理装置。
【請求項５】
請求項１〜４のいずれか一項に記載の情報処理装置において、
前記タブレット端末は、通信回線を介して接続された外部装置へ顧客の注文情報を送信する注文情報送信手段をさらに備えることを特徴とする情報処理装置。
【請求項６】
請求項１〜５のいずれか一項に記載の情報処理装置において、
前記タブレット端末は、通信回線を介して接続された外部装置へ顧客の精算完了情報を送信する精算完了情報送信手段をさらに備えることを特徴とする情報処理装置。
【請求項７】
請求項４〜６のいずれか一項に記載の情報処理装置において、
前記タブレット端末が備える通信モジュールを介して通信回線に接続し、前記外部装置と通信を行う通信制御手段をさらに備えることを特徴とする情報処理装置。
【請求項８】
請求項４〜６のいずれか一項に記載の情報処理装置において、
前記インターフェースボードに接続された通信モジュールを介して通信回線に接続し、前記外部装置と通信を行う通信制御手段をさらに備えることを特徴とする情報処理装置。
【発明の詳細な説明】
【技術分野】
【０００１】
本発明は、情報処理装置に関する。
【背景技術】
【０００２】
次のような商品販売データ処理装置が知られている。この商品販売データ処理装置では、顧客が電子署名を行うための端末としてタブレットを用いている（例えば、特許文献１）。
【先行技術文献】
【特許文献】
【０００３】
【特許文献１】特開２０１０−２７７４０２号公報
【発明の概要】
【発明が解決しようとする課題】
【０００４】
従来の商品販売データ処理装置では、装置自体にＣＰＵ、メモリ、および各種コントローラ等の周辺回路からなる制御装置を内蔵し、特許文献１に開示されたＰＯＳ端末のように、タブレットは、顧客が電子署名を行うための補助的な端末として接続されるに過ぎず、精算のための処理やレシートの印字処理といった、装置をキャッシュレジスターとして動作させるための処理は、全てＰＯＳ端末側の制御装置によって行われていた。一方で、近年のタブレット端末の普及に伴い、処理性能の高いタブレット端末が市場に多く出回るようになっている。このため、高価なＰＯＳ端末を使用しなくても、タブレット端末にキャッシュレジスターを構成する種々の装置を接続するとともに、タブレット端末にこれらの装置を制御するためのアプリケーションを導入すれば、簡易な構成により、安価にキャッシュレジスターを提供することが可能となる。しかしながら、従来の商品販売データ処理装置では、この点については、何ら検討がされていなかった。
【課題を解決するための手段】
【０００５】
本発明による情報処理装置は、タブレット端末と、レシート印字用のプリンタと、支払者に支払金額を提示するための金額表示器とをインターフェースボードを介して接続することにより、キャッシュレジスターとして機能する情報処理装置であって、タブレット端末は、ユーザの操作に基づいて、精算対象となる商品ごとの金額の入力を受け付ける商品金額入力受付手段と、商品金額入力受付手段によって受け付けた商品ごとの金額を合計して、合計金額を算出する合計金額算出手段と、合計金額算出手段によって算出された合計金額を、支払金額として前記インターフェースボードを介して接続された金額表示器に表示する合計金額表示手段と、金額入力受付手段で受け付けた商品ごとの金額の明細情報と、合計金額算出手段で算出した合計金額の情報とを含む精算情報が印字されたレシートをインターフェースボードを介して接続されたプリンタから出力するレシート出力手段とを備え、プリンタ、金額表示器、インターフェースボードを筐体に格納し、前記筐体と前記タブレット端末とを結合して、一台のキャッシュレジスターとして一体化したことを特徴とする情報処理装置。
【発明の効果】
【０００６】
本発明によれば、タブレット端末と、レシート印字用のプリンタと、支払者に支払金額を提示するための金額表示器とをインターフェースボードを介して接続してキャッシュレジスターとして機能させるようにしたので、キャッシュレジスターを安価に製造することができる。
【図面の簡単な説明】
【０００７】
【図１】情報処理装置１００の一実施の形態の構成を示すブロック図である。
【図２】インターフェースボード３００の一実施の形態の構成を示すブロック図である。
【図３】情報処理装置１００をキャッシュレジスターとして店舗に設置できるように一体化した場合の構成を模式的に示した図である。
【図４】タブレット端末２００の一実施の形態の構成を示すブロック図である。
【図５】精算画面５ａの一例を示す図である。
【図６】タブレット端末２００で実行される処理の流れを示すフローチャート図である。
【図７】キャッシュドロワを接続した場合の情報処理装置１００の一実施の形態の構成を示す第１のブロック図である。
【図８】キャッシュドロワを接続した場合の情報処理装置１００の一実施の形態の構成を示す第２のブロック図である。
【発明を実施するための形態】
【０００８】
図１は、本実施の形態における情報処理装置の一実施の形態の構成を示すブロック図である。情報処理装置１００は、ユーザが操作するタブレット端末２００と、インターフェースボード３００と、レシート印字用のプリンタ４００と、支払者に精算金額を提示するための表示器５００とを備える。
【０００９】
本実施の形態では、情報処理装置１００は、インターフェースボード３００を介して、タブレット端末２００と、プリンタ４００および表示器５００とが接続され、一台のキャッシュレジスターとして店舗に設置できるように一体化されて構成されている。
【００１０】
図２は、インターフェースボード３００の一実施の形態の構成を示すブロック図である。インターフェースボード３００は、インターフェースボード３００全体を制御するコントローラ３０１と、ＵＳＢ接続が可能な機器を接続するためのＵＳＢインターフェース３０２と、Ｅｔｈｅｒｎｅｔ（登録商標）ケーブルを接続するためのＥｔｈｅｒｎｅｔ（登録商標）インターフェース３０３と、ＵＳＢインターフェース３０２を介して接続された機器へ電力を供給するための電源回路３０４とを備えている。
【００１１】
本実施の形態では、ＵＳＢインターフェース３０２は、複数の接続ポートを備え、該ＵＳＢインターフェース３０２に、タブレット端末２００、プリンタ４００、表示器５００が接続される。これによって、インターフェースボード３００を介して、タブレット端末２００と、プリンタ４００および表示器５００とが接続される。
【００１２】
Ｅｔｈｅｒｎｅｔ（登録商標）インターフェース３０３は、情報処理装置１００をＬＡＮ経由で通信回線に接続するために、Ｅｔｈｅｒｎｅｔ（登録商標）ケーブルを接続するためのインターフェースである。
【００１３】
電源回路３０４には、電源ケーブルを介してＡＣ電源から電力が供給される。電源回路３０４は、ＵＳＢインターフェース３０２を介して接続されたタブレット端末２００、プリンタ４００、および表示器５００のそれぞれと不図示の電源ケーブルを介して接続され、タブレット端末２００、プリンタ４００、および表示器５００へ電力を供給する。
【００１４】
なお、インターフェースボード３００にタブレット端末２００、プリンタ４００、表示器５００を接続するためのインターフェースは一例であり、これに限定されるものではない。
【００１５】
図３は、情報処理装置１００を一台のキャッシュレジスターとして店舗に設置できるように一体化した場合の形状を模式的に示した図である。図３（Ａ）は、情報処理装置１００を正面側から見た場合の形状を示す図であり、図３（Ｂ）は、情報処理装置１００を背面側から見た場合の形状を示す図である。なお、ここでは、情報処理装置１００をキャッシュレジスターとして店舗に設置した場合に、ユーザである店員が操作のために立つ側を正面側と呼び、精算を行う顧客が立つ側を背面側と呼ぶ。
【００１６】
図３（Ａ）に示す図には、プリンタ４００と表示器５００が格納された筐体３ａと、インターフェースボード３００が格納された筐体３ｂと、タブレット端末２００が示されている。また、図３（Ｂ）に示す図には、筐体３ａ、筐体３ｂ、タブレット端末２００の他に、筐体３ａと筐体３ｂとタブレット端末２００とを結合するための結合部材３ｅが示されている。筐体３ａと筐体３ｂとの間を接続するケーブル類や、筐体３ｂとタブレット端末２００との間を接続するケーブル類は、結合部材３ｅの内部を通して配線されている。
【００１７】
図３（Ａ）に示すように、筐体３ａには、正面側にレシートを排出するためのスリット状のレシート排出口３ｃが設けられている。筐体３ａの内部に格納されたプリンタ４００で印字されたレシートは、このレシート排出口３ｃから出力される。これによって、正面側に立つユーザは、排出されたレシートを顧客に渡すことができる。また、図３（Ｂ）に示すように、背面側には、筐体３ａ内に格納された表示器５００の金額表示部を外部に視認可能とするための開口部が設けられている。これによって、支払者は、精算時に表示器５００に表示された支払額を確認することができる。
【００１８】
図３（Ａ）に示すように、筐体３ａに設けられたケーブル穴を通して、インターフェースボード３００の電源回路３０４に電力を供給するための電源ケーブル３ｄが外部に引き出されている。
【００１９】
また、図３（Ａ）および図３（Ｂ）に示すように、筐体３ｂは、タブレット端末２００を情報処理装置１００の接地面に対して垂直方向に立てるための台座の役割も果たしている。そして、筐体３ｂには、タブレット端末２００と接する面に、情報処理装置１００の接地面に対するタブレット端末２００の角度を、ユーザが操作しやすい角度に固定するための傾斜が設けられている。図３に示す例では、ユーザがタッチパネル２００を斜め上から見下ろす角度で操作する場合を想定して、タッチパネル２００が斜め上方を向く角度に設定されている。
【００２０】
なお、タッチパネル２００の角度は固定であってもよいが、ユーザが角度を変えることができるような構造にしてもよい。この場合、例えば、図３（Ｂ）において、符号３ｆで示す筐体３ｂの辺に沿ってタブレット端末２００が回転するように、回転軸などの回転機構を設けるようにすればよい。これにより、ユーザは、自身と情報処理装置１００との位置関係に応じて、タブレット端末２００を操作しやすい角度に変更することができる。
【００２１】
このように、情報処理装置１００は、キャッシュレジスターとして店舗に設置することを考慮して、それに適した形状とすることが好ましいが、その形状は、図３に示した例に限定されるものではない。
【００２２】
図４は、本実施の形態におけるタブレット端末２００の一実施の形態の構成を示すブロック図である。本実施の形態では、タブレット端末２００に、インターフェースボード３００を介して接続されたプリンタ４００、および表示器５００を制御して、情報処理装置１００をキャッシュレジスターとして動作させるためのアプリケーションがインストールされている。本実施の形態では、情報処理装置１００をキャッシュレジスターとして動作させるためのアプリケーションをレジアプリと呼ぶ。
【００２３】
レジアプリのプログラムは、インターネットを介して接続されたサーバ上で公開されることにより提供され、ユーザがこれをダウンロードにより入手し、タブレット端末２００にあらかじめインストールされているものとする。あるいは、レジアプリのプログラムは、ＣＤ−ＲＯＭやＤＶＤ−ＲＯＭ等の記録媒体に記録されて提供されるようにしてもよい。
【００２４】
タブレット端末２００は、タッチパネル２０１と、通信モジュール２０２と、接続ＩＦ２０３と、制御装置２０４とを備えている。
【００２５】
タッチパネル２０１は、液晶パネル等の表示装置とタッチパッドのような位置入力装置を組み合わせた電子部品であり、画面上の表示を押すことで機器を操作することができる入力装置である。例えば、タブレット端末２００のユーザは、液晶パネル上に表示されたボタンやメニュー等の表示項目を指やタッチペンを用いてタッチまたはスライドさせることにより、タブレット端末２００を操作することができる。タッチパネル２０１は、ユーザによるタッチやスライドといった操作を検出して、その検出信号を制御装置２０４へ出力する。
【００２６】
通信モジュール２０２は、ＬＡＮや携帯電話通信網を介して、無線によりインターネットに接続するためのモジュールが用いられる。レジアプリのプログラムは、通信モジュール２０２を介して、外部のサーバからダウンロードにより取得される。
【００２７】
接続ＩＦ２０３は、タブレット端末２００をインターフェースボード３００へ接続するためのインターフェースであって、本実施の形態では、例えば、上述したように、ＵＳＢインターフェースが用いられる。
【００２８】
制御装置２０４は、ＣＰＵ、メモリ、およびその他の周辺回路によって構成され、タブレット端末２００の全体を制御する。なお、制御装置２０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、タブレット端末２００を動作させるためのファームウェアや種々のアプリケーションを動作させるためのソフトウェアのプログラムデータが記録される。本実施の形態では、この不揮発性のメモリに、上述したレジアプリのプログラムが記録されている。
【００２９】
情報処理装置１００のユーザは、タブレット端末２００のタッチパネル２０１上に表示されたレジアプリの起動用のアイコンにタッチしてレジアプリを起動させることにより、情報処理装置１００をキャッシュレジスターとして使用することができる。以下、情報処理装置１００をキャッシュレジスターとして使用する場合に、タブレット端末２００で実行される処理の内容について説明する。
【００３０】
ユーザは、顧客が購入する商品の精算を行う場合には、レジアプリの精算機能を利用して、代金の精算を行う。制御装置２０４は、ユーザによってタッチパネル２０１上で精算の開始を指示するための操作が行われたことを検出すると、タッチパネル２０１上に図５に示す精算画面５ａを表示する。
【００３１】
精算画面５ａは、電卓表示領域５ｂと、精算内容表示領域５ｃとで構成され、ユーザは、電卓表示領域５ｂ内に表示された電卓を模したユーザインターフェース上で、商品の代金を入力する。電卓表示領域５ｂ内に配置されたボタンは、一般的な電卓が備えるボタンと同様のため、操作方法の詳細な説明は省略するが、ユーザは、電卓表示領域５ｂ内に配置された数字ボタンにタッチして商品の金額を入力することができ、確定ボタン５ｅにタッチすることにより、入力した金額を確定させることができる。
【００３２】
制御装置２０４は、ユーザによって数字ボタンがタッチされて入力された金額を金額表示部５ｄに表示する。また、制御装置２０４は、ユーザによって確定ボタン５ｅがタッチされて金額が確定された場合には、確定された金額を商品ごとの金額明細としてメモリに記録する。さらに、制御装置２０４は、精算内容表示領域５ｃの小計欄５ｆに表示されている小計額に、確定した入力金額を加算するとともに、あらかじめ設定されている消費税率に基づいて小計額に対する消費税額を算出して、消費税表示欄５ｇに表示する。さらに、小計欄５ｆに表示されている小計額と消費税表示欄５ｇに表示されている消費税額を加算した合計額を合計欄５ｈに表示する。また、制御装置２０４は、インターフェースボード３００を介して接続された表示器５００に合計額を示す情報を送信して合計額を表示させる。
【００３３】
ユーザは、全ての商品について金額の入力を完了した後は、例えば、再度確定ボタン５ｅにタッチするなどして、合計額を確定させ、表示器５００に表示されている合計額を支払者に案内して支払者から支払いを受ける。そして、ユーザは、支払者から受け取った金額を電卓表示領域５ｂ内に配置されたボタンにタッチして入力し、確定ボタン５ｅにタッチする。
【００３４】
制御装置２０４は、ユーザによって確定ボタン５ｅがタッチされて受取金額が確定された場合には、精算内容表示領域５ｃのお預かり欄５ｉに、入力された受取金額を表示する。
【００３５】
制御装置２０４は、その後、ユーザによって現計ボタン５ｊがタッチされたことを検出すると、インターフェースボード３００を介して接続されたプリンタ４００へ、メモリに記録しておいた商品ごとの金額の明細情報と合計金額の情報とを含む精算情報を出力して、該精算情報をあらかじめ設定されたフォーマットで印字したレシートを出力させる。これによって、ユーザは、プリンタ４００から出力されたレシートを支払者へ渡すことができる。
【００３６】
図６は、本実施の形態において、タブレット端末２００で実行される処理の流れを示すフローチャートである。図６に示す処理は、ユーザによって上述したレジアプリの実行が指示されると起動するプログラムとして、制御装置２０４によって実行される。
【００３７】
ステップＳ１０において、制御装置２０４は、ユーザによってタッチパネル２０１上で、精算の開始を指示するための操作が行われたか否かを判断する。ステップＳ１０で否定判断した場合には、後述するステップＳ１２０へ進む。これに対して、ステップＳ１０で肯定判断した場合には、ステップＳ２０へ進む。
【００３８】
ステップＳ２０では、制御装置２０４は、タッチパネル２０１上に図５に示した精算画面５ａを表示する。その後、ステップＳ３０へ進む。
【００３９】
ステップＳ３０では、制御装置２０４は、上述したように、ユーザによって、電卓表示領域５ｂ内に配置された数字ボタンを用いて商品の金額が入力され、確定ボタン５ｅがタッチされることにより、入力された金額が確定されたか否かを判断する。ステップＳ３０で肯定判断した場合には、ステップＳ４０へ進む。
【００４０】
ステップＳ４０では、制御装置２０４は、確定された金額を商品ごとの金額明細としてメモリに記録する。その後、ステップＳ５０へ進む。
【００４１】
ステップＳ５０では、制御装置２０４は、上述したように、小計額、消費税額、合計額を算出し、精算内容表示領域５ｃの小計欄５ｆ、消費税表示欄５ｇ、合計欄５ｈのそれぞれに算出した金額を表示する。その後、ステップＳ６０へ進む。
【００４２】
ステップＳ６０では、制御装置２０４は、インターフェースボード３００を介して接続された表示器５００に、ステップＳ５０で算出した合計額を表示させる。その後、ステップＳ７０へ進む。
【００４３】
ステップＳ７０では、制御装置２０４は、例えば、ユーザによって、再度確定ボタン５ｅがタッチされるなど、支払金額を確定させるための操作が行われることにより、支払金額として、上述した合計額が確定されたか否かを判断する。ステップＳ７０で否定判断した場合には、ステップＳ３０へ戻る。これに対して、ステップＳ７０で肯定判断した場合には、ステップＳ８０へ進む。
【００４４】
ステップＳ８０では、制御装置２０４は、ユーザによって、支払者から支払われた金額が入力され、確定ボタン５ｅがタッチされて受取金額が確定されたか否かを判断する。ステップＳ８０で肯定判断した場合には、ステップＳ９０へ進む。
【００４５】
ステップＳ９０では、制御装置２０４は、精算内容表示領域５ｃのお預かり欄５ｉに、確定した受取金額を表示する。その後、ステップＳ１００へ進む。
【００４６】
ステップＳ１００では、制御装置２０４は、ユーザによって現計ボタン５ｊがタッチされたか否かを判断する。ステップＳ１００で肯定判断した場合には、ステップＳ１１０へ進む。
【００４７】
ステップＳ１１０では、制御装置２０４は、インターフェースボード３００を介して接続されたプリンタ４００へ、メモリに記録しておいた商品ごとの金額の明細情報と、合計金額の情報とを含む精算情報を出力して、該精算情報をあらかじめ設定されたフォーマットで印字したレシートを出力するように指示する。その後、ステップＳ１２０へ進む。
【００４８】
ステップＳ１２０では、制御装置２０４は、ユーザによって情報処理装置１００の電源オフが指示されたか否かを判断する。ステップＳ１２０で否定判断した場合には、ステップＳ１０へ戻る。これに対して、ステップＳ１２０で肯定判断した場合には、処理を終了する。
【００４９】
以上説明した本実施の形態によれば、以下のような作用効果を得ることができる。
（１）情報処理装置１００は、タブレット端末２００と、レシート印字用のプリンタ４００と、支払者に支払金額を提示するための表示器５００とがインターフェースボード３００を介して接続され、タブレット端末２００では、制御装置２０４は、ユーザの操作に基づいて、精算対象となる商品ごとの金額の入力を受け付け、受け付けた商品ごとの金額を合計して合計金額を算出し、算出した合計金額をインターフェースボード３００を介して接続された表示器５００に表示するようにした。また、制御装置２０４は、ユーザの操作に基づいて、商品ごとの金額の明細情報と合計金額の情報とを含む精算情報が印字されたレシートをインターフェースボード３００を介して接続されたプリンタ４００から出力させるようにした。これによって、タブレット端末２００と、プリンタ４００と、表示器５００とをインターフェースボード３００を介して接続するという簡易な構成により、キャッシュレジスターとして機能する情報処理装置１００を提供することができるため、キャッシュレジスターを安価に提供することができる。
【００５０】
（２）インターフェースボード３００は、タブレット端末２００、プリンタ４００、および表示器５００へ電力を供給する電源回路を内蔵するようにした。これによって、タブレット端末２００、インターフェースボード３００、プリンタ４００、および表示器５００のそれぞれをコンセントに接続する必要がなく、インターフェースボード３００のみをコンセントに接続すれば、その他のタブレット端末２００、プリンタ４００、および表示器５００には、インターフェースボード３００から電力を供給することができる。よって、設置時にコンセントに接続する電源ケーブルは、インターフェースボード３００につながる電源ケーブル３ｄのみでよいため、設置時の配線を簡略化することができるとともに、配線をすっきりさせることができる。
【００５１】
―変形例―
なお、上述した実施の形態の情報処理装置１００は、以下のように変形することもできる。
（１）上述した実施の形態では、ユーザは、精算画面５ａの電卓表示領域５ｂ内に表示された電卓を模したユーザインターフェース上で商品の代金を入力する例について説明した。しかしながら、商品代金の入力方法はこれに限定されるものではない。例えば、以下に説明するように商品代金を入力することもできる。
【００５２】
ユーザは、タブレット端末２００に、あらかじめ店舗で扱う商品とその価格の情報を登録しておく。制御装置２０４は、精算時には、登録されている商品を精算画面上に一覧表示して、ユーザから、顧客が購入する商品の選択を受け付け、選択された商品の価格を顧客が購入する商品の代金として特定すればよい。
【００５３】
あるいは、飲食店など、テーブル単位に会計を行う習慣のある業種では、顧客から受けた注文のデータをテーブルごとに管理しておき、制御装置２０４は、精算時には、タッチパネル２０１上で、精算対象のテーブルの選択を受け付け、選択されたテーブルの注文のデータに基づいて、顧客が注文した商品の代金を特定すればよい。
【００５４】
（２）上述した実施の形態では、Ｅｔｈｅｒｎｅｔ（登録商標）インターフェース３０３に接続されたＥｔｈｅｒｎｅｔ（登録商標）ケーブルを介して、外部のサーバと通信を行う例について説明した。この場合、タブレット端末２００の制御装置２０４は、通信回線を介して外部のサーバへ接続して、上述した精算情報を送信することにより、過去の精算情報の履歴を外部のサーバに記録するようにしてもよい。これによって、精算情報の履歴を外部のサーバで管理することができる。なお、制御装置２０４は、通信モジュール２０２を介して外部のサーバと通信を行うようにしてもよい。
【００５５】
また、制御装置２０４は、精算情報以外の情報も外部のサーバへ送信するようにしてもよい。例えば、制御装置２０４は、ユーザからの入力操作に基づいて、または無線で接続された注文受付用の端末装置からの受信データに基づいて、顧客によって注文された商品の明細を含む注文情報をメモリに記録しておき、ユーザからの操作に基づいて、またはあらかじめ設定されたタイミングで、この顧客の注文情報をＥｔｈｅｒｎｅｔ（登録商標）インターフェース３０３または通信モジュール２０２を介して、外部のサーバへ送信するようにしてもよい。これによって、顧客の注文情報の履歴を外部のサーバで管理することができる。
【００５６】
また、制御装置２０４は、ユーザによって現計ボタン５ｊがタッチされたことを検出したときに、顧客が精算を完了したと判断して、顧客が精算を完了したことを示す精算完了情報をメモリに記録しておき、ユーザからの操作に基づいて、またはあらかじめ設定されたタイミングで、顧客の精算完了情報をＥｔｈｅｒｎｅｔ（登録商標）インターフェース３０３または通信モジュール２０２を介して、外部のサーバへ送信するようにしてもよい。これによって、顧客の精算完了履歴を外部のサーバで管理することができる。
【００５７】
（３）上述した実施の形態では、情報処理装置１００は、タブレット端末２００と、インターフェースボード３００と、プリンタ４００と、表示器５００とを一体化させてキャッシュレジスターを提供する例について説明した。この場合、情報処理装置１００には、現金収納用のキャッシュドロワを接続できるようにしてもよい。例えば、情報処理装置１００の提供者によって、現金収納用のキャッシュドロワがオプションとして提供され、これを導入した店舗では、情報処理装置１００にキャッシュドロワを接続することにより、情報処理装置１００をキャッシュドロワを搭載したキャッシュレジスターとして利用が可能となる構成にすればよい。
【００５８】
この場合の情報処理装置１００とキャッシュドロワの接続方法は、例えば、図７や図８に示すようにすればよい。図７は、プリンタ４００に設けられた接続用のインターフェースにキャッシュドロワ６００を接続する例を示している。図８は、インターフェースボード３００にキャッシュドロワ用の接続コネクタを設け、インターフェースボード３００にキャッシュドロワ６００を接続する例を示している。
【００５９】
また、情報処理装置１００にキャッシュドロワ６００を接続した場合には、タブレット端末２００の制御装置２０４は、図５で上述した精算画面５ａでユーザによって現計ボタン５ｊがタッチされたことを検出すると、上述したようにプリンタ４００からレシートを印字するとともに、プリンタ４００またはインターフェースボード３００を介して接続されたキャッシュドロワ６００へ、現金を収納するための引き出し部をオープンさせるための信号を送信して、キャッシュドロワ６００をオープンさせる。これによって、ユーザは、支払者から受け取った金銭をキャッシュドロワ６００へ収納することができ、釣銭が必要な場合には、キャッシュドロワ６００から釣銭を取り出して、支払者へ渡すことができる。
【００６０】
（４）上述した実施の形態では、ユーザがタブレット端末２００のタッチパネル２０１上に表示されたレジアプリの起動用のアイコンにタッチしてレジアプリを起動させることにより、情報処理装置１００をキャッシュレジスターとして使用することとし、図６に示す処理は、ユーザによってレジアプリの実行が指示されると起動するプログラムとして制御装置２０４によって実行される例について説明した。しかしながら、図６に示す処理は、ユーザによって情報処理装置１００の電源がオンされると起動するプログラムとして制御装置２０４が実行するようにしてもよい。これにより、ユーザは、情報処理装置１００の電源を投入するだけで、情報処理装置１００をキャッシュレジスターとして使用することができる。
【００６１】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００６２】
１００  情報処理装置
２００  タブレット端末
２０１  タッチパネル
２０２  通信モジュール
２０３  接続ＩＦ
２０４  制御装置
３００  インターフェースボード
３０１  コントローラ
３０２  ＵＳＢインターフェース
３０３  Ｅｔｈｅｒｎｅｔ（登録商標）インターフェース
３０４  電源回路
４００  プリンタ
５００  表示器
６００  キャッシュドロワ
【要約】
【課題】キャッシュレジスターとして機能する情報処理装置を提供すること。
【解決手段】情報処理装置１００は、タブレット端末２００と、レシート印字用のプリンタ４００と、支払者に支払金額を提示するための表示器５００とをインターフェースボード３００を介して接続し、タブレット端末２００は、ユーザの操作に基づいて、精算対象となる商品ごとの金額の入力を受け付ける商品金額入力受付手段と、商品金額入力受付手段によって受け付けた商品ごとの金額を合計して、合計金額を算出する合計金額算出手段と、合計金額算出手段によって算出された合計金額を、支払金額としてインターフェースボード３００を介して接続された表示器５００に表示する合計金額表示手段と、金額入力受付手段で受け付けた商品ごとの金額の明細情報と、合計金額算出手段で算出した合計金額の情報とを含む精算情報が印字されたレシートをインターフェースボード３００を介して接続されたプリンタ４００から出力するレシート出力手段とを備える。
【選択図】図１【図１】
0005465351.tif 000002
【図２】
0005465351.tif 000003
【図３】
0005465351.tif 000004
【図４】
0005465351.tif 000005
【図５】
0005465351.tif 000006
【図６】
0005465351.tif 000007
【図７】
0005465351.tif 000008
【図８】
0005465351.tif 000009